(57)【特許請求の範囲】
【請求項１】
印字ヘッドを横方向に往復移動させることによって、印字を行うシリアルドットプリンタにおいて、
印字で使用される使用フォントデータの切替指示が入力される入力部と、
前記入力部からの前記切換指示が入力されたときに、同じ種類の文字同士で、横方向に所定の数のドット以上連続する箇所が同一ライン上に集約された構成を含む標準フォントデータから、前記標準フォントデータが上方向又は下方向にシフト移動された構成となっている予備フォントデータへ前記使用フォントデータの切り替えを実行するフォント切替部と、
を有することを特徴とするシリアルドットプリンタ。
【請求項２】
請求項１に記載のシリアルドットプリンタにおいて、
さらに、前記標準フォントデータと複数パターンの前記予備フォントデータとを予め記憶するフォント記憶部と、
前記使用フォントデータを記憶する使用フォント記憶部とを有しており、
前記フォント切替部は、
通常時に、前記フォント記憶部に予め記憶された前記標準フォントデータを前記使用フォントデータとして前記使用フォント記憶部に記憶させるとともに、
前記使用フォントデータの切替時に、前記フォント記憶部に予め記憶された複数パターンの前記予備フォントデータの中から、前記切替指示によって指定されたパターンの前記予備フォントデータを前記使用フォントデータとして前記使用フォント記憶部に記憶させる
ことを特徴とするシリアルドットプリンタ。
【請求項３】
請求項１に記載のシリアルドットプリンタにおいて、
さらに、前記標準フォントデータを予め記憶するフォント記憶部と、
前記使用フォントデータを記憶する使用フォント記憶部とを有しており、
前記フォント切替部は、
通常時に、前記フォント記憶部に予め記憶された前記標準フォントデータを前記使用フォントデータとして前記使用フォント記憶部に記憶させるとともに、
前記使用フォントデータの切替時に、前記フォント記憶部に予め記憶された前記標準フォントデータを上方向又は下方向にシフト移動させることによって１乃至複数のパターンの前記予備フォントデータを生成し、前記切替指示によって指定されたパターンの前記予備フォントデータを前記使用フォントデータとして前記使用フォント記憶部に記憶させる
ことを特徴とするシリアルドットプリンタ。
【請求項４】
請求項１乃至請求項３のいずれか一項に記載のシリアルドットプリンタにおいて、
前記標準フォントデータは、前記横方向に所定の数のドット以上連続する箇所の、前記所定の数が、「３」である
ことを特徴とするシリアルドットプリンタ。
【請求項５】
請求項１乃至請求項４のいずれか一項に記載のシリアルドットプリンタにおいて、
前記標準フォントデータは、前記横方向に所定の数のドット以上連続する箇所が集約されたライン同士が、離間している
ことを特徴とするシリアルドットプリンタ。
【発明の詳細な説明】
【技術分野】
【０００１】
本発明は、印字ヘッドを主走査方向（横方向）に往復移動させることによって、印字を行うシリアルドットプリンタに関する。
【背景技術】
【０００２】
この種のシリアルドットプリンタとしては、インパクトプリンタやサーマルプリンタ等がある。ここでは、シリアルドットプリンタがインパクトプリンタとして構成されている場合を想定して説明する。なお、インパクトプリンタは、複数のピンが搭載された印字ヘッドを主走査方向（横方向）に往復移動させながら、ピンを印字媒体に打ち込む構成となっているプリンタである。
【０００３】
シリアルドットプリンタは、例えば、感圧紙として構成された媒体に印字したり、媒体と媒体との間にカーボン紙を介して印字したりすることによって、複数の媒体に同時に印字することができる。そのため、シリアルドットプリンタは、同じ内容が印字された複数の媒体を使用する業務、特に、輸送機関の配達業務や官公庁の事務業務等で、依然として広く利用されている。
【０００４】
ところで、シリアルドットプリンタは、ピンが破損する場合がある。以下、ピンが破損する現象を「ピン折れ」と称する。シリアルドットプリンタは、ピン折れが発生した場合に、媒体に印字された文字に、ドットが抜けた箇所（以下、「ドット抜け箇所」と称する）が発生する。ドット抜け箇所は、横方向に複数ドット連続して発生すると、印字された文字が解読不能な状態になるときがある。特に、前記した輸送機関の配達業務や官公庁の事務業務等では、例えば、数字やカタカナ、アルファベット等の文字が高頻度に使用されているが、これらの文字は、構成が簡素なため、ドット抜け箇所が横方向に複数ドット連続して発生すると、解読不能な状態になるときが多い。印字された文字が解読不能な状態になると、誤読され易くなる。そのため、シリアルドットプリンタの利用者は、シリアルドットプリンタの利用を停止せざるをえなくなり、これによって、業務の運用に支障が発生するときがあった。
【０００５】
そこで、従来のシリアルドットプリンタは、ドット抜け箇所が発生した場合に、印字された文字が解読可能な状態になるように、印字工程を複数回（例えば、２回）の工程に分割し、媒体を微小に移動させながら同じ位置に同じ文字を印字している。具体的には、従来のシリアルドットプリンタは、１つの文字を印字して、媒体を微小に移動させた後に、前回印字された文字の上に同じ文字を重ねて印字している（例えば、特許文献１参照）。このように、従来のシリアルドットプリンタは、印字された文字が解読可能な状態になるように、ドット抜け箇所を補完する印字を行っている。
【先行技術文献】
【特許文献】
【０００６】
【特許文献１】特開昭６２−２４６７４４号公報（図３）
【発明の概要】
【発明が解決しようとする課題】
【０００７】
しかしながら、従来のシリアルドットプリンタは、ドット抜け箇所が発生した場合に、印字された文字を解読可能な状態にするために、通常１回で完了する印字工程を複数回の工程に分割しているため、また、媒体を微小に移動させるため、処理時間が大幅に増加する、という課題があった。
【０００８】
本発明は、前記した課題を解決するためになされたものであり、ドット抜け箇所の発生時に、短時間で解読容易な印字を行うことができるシリアルドットプリンタを提供することを主な目的とする。
【課題を解決するための手段】
【０００９】
前記目的を達成するため、本発明は、印字ヘッドを横方向に往復移動させることによって、印字を行うシリアルドットプリンタであって、印字で使用される使用フォントデータの切替指示が入力される入力部と、前記入力部からの前記切換指示が入力されたときに、同じ種類の文字同士で、横方向に所定の数のドット以上連続する箇所が同一ライン上に集約された構成を含む標準フォントデータから、前記標準フォントデータが上方向又は下方向にシフト移動された構成となっている予備フォントデータへ前記使用フォントデータの切り替えを実行するフォント切替部と、を有する構成とする。
【００１０】
このシリアルドットプリンタは、通常時に、フォント切替部が、標準フォントデータを使用フォントデータとして用いる。したがって、このシリアルドットプリンタは、通常時に、標準フォントデータを使用して印字する。その標準フォントデータは、同じ種類の文字同士（例えば、数字同士）で、横方向に所定の数のドット（例えば、３ドット）以上連続する箇所が同一ライン上に集約された構成となっている。そのため、集約されたライン上でドット抜けが発生すると、横方向に複数ドット連続するドット抜け箇所が発生する。この場合に、印字された文字が、解読不能な状態になるときがある。
【００１１】
このシリアルドットプリンタは、使用フォントデータの切替時となるドット抜け箇所（特に、横方向に複数ドット連続するドット抜け箇所）の発生時に、フォント切替部が、使用フォントデータの切替指示に基づいて、予備フォントデータを使用フォントデータとして用いる。これにより、このシリアルドットプリンタは、予備フォントデータを使用して印字する。その予備フォントデータは、標準フォントデータが上方向又は下方向にシフト移動された構成となっている。そのため、ドット抜けの箇所が、各文字の集約されたライン上から外れた位置に移動する。その結果、ドット抜けの箇所が印字された文字の解読に影響しにくい位置に移動する。これにより、印字された文字は、容易に読解可能な状態になる。
【００１２】
したがって、このシリアルドットプリンタは、ドット抜け箇所の発生時に、ドット抜け箇所を補完する印字を行うのではなく、ドット抜け箇所を残すものの、その箇所が印字された文字の解読に影響しにくい位置に移動させた状態で印字する構成となっている。そのため、このシリアルドットプリンタは、ドット抜け箇所の発生時に、短時間（具体的には、各文字を１回の印字工程で印字する場合と同等の印字時間）で解読容易な印字を行うことができる。
【発明の効果】
【００１３】
本発明によれば、ドット抜け箇所の発生時に、短時間で解読容易な印字を行うことができるシリアルドットプリンタを提供することができる。
【図面の簡単な説明】
【００１４】
【図１】実施形態に係るシリアルドットプリンタの構成を示す図である。
【図２】実施形態で用いるフォントデータのパターンを示す図である。
【図３】正常時の印字画像例及びピン折れ発生時の印字画像例を示す図である。
【図４】サンプル印字画像例を示す図である。
【発明を実施するための形態】
【００１５】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１６】
［実施形態］
＜シリアルドットプリンタの構成＞
以下、図１を参照して、実施形態に係るシリアルドットプリンタの構成につき説明する。なお、図１は、実施形態に係るシリアルドットプリンタの構成を示す図である。ここでは、シリアルドットプリンタとして、インパクトプリンタを想定して説明する。
【００１７】
図１に示すように、本実施形態に係るシリアルドットプリンタ１は、制御部２、記憶部３、駆動部４、プリンタ機構部５、及び、表示操作部６を有している。
【００１８】
制御部２は、シリアルドットプリンタ１の動作を制御する構成要素である。制御部２は、ＣＰＵによって構成されている。ＣＰＵは、駆動制御部２Ａ及びフォント切替部２Ｂとして機能する。
【００１９】
駆動制御部２Ａは、駆動部４及びプリンタ機構部５の動作を制御する機能手段である。
フォント切替部２Ｂは、実際の印字で使用されるフォントデータ（以下、「使用フォントデータ」と称する）１００の切り替えを行う機能手段である。
【００２０】
記憶部３は、印字に必要なデータを記憶する構成要素である。記憶部３は、ＲＡＭ及びＲＯＭによって構成されている。記憶部３は、使用フォント記憶部３Ａ及びフォント記憶部３Ｂを備えている。
【００２１】
使用フォント記憶部３Ａは、使用フォントデータ１００を記憶する記憶領域である。
フォント記憶部３Ｂは、シリアルドットプリンタ１の製造者や利用者等によって予め用意されたフォントデータ１０を記憶する記憶領域である。フォントデータ１０の詳細については、図２を参照して後記する。
【００２２】
駆動部４は、モータ等の、プリンタ機構部５を駆動する構成要素である。
プリンタ機構部５は、媒体に対して印字を行う機構である。プリンタ機構部５は、主走査方向（横方向）に往復移動して印字を行う印字ヘッド５Ａを備えている。ここでは、シリアルドットプリンタ１がインパクトプリンタであるため、印字ヘッド５Ａは複数のピンを搭載する構成となっている。
【００２３】
表示操作部６は、各種の情報を表示したり、オペレータによる入力を受け付けたりする構成要素である。表示操作部６は、例えば、ＬＣＤ等の表示部と、スイッチ等の入力部とで構成されている。
【００２４】
＜フォントデータの詳細＞
以下、図２を参照してフォントデータ１０の詳細につき説明する。なお、図２は、実施形態で用いるフォントデータのパターンを示す図である。フォントデータ１０は、数字やカタカナ、アルファベット等の各種類の文字に対応して予め用意されている。ここでは、フォントデータ１０として、特に使用される頻度が高い数字を例にして説明する。図２に示す例では、「０」〜「９」の各数字のフォントデータ１０が、１文字分の空間を横１３ドット×縦２４ドットとし、１文字の最大印字幅を横９ドット×縦２０ドットとするパターンで構成されている。
【００２５】
図２に示すように、本実施形態で用いられるフォントデータ１０には、標準フォントデータ１０Ａと、予備フォントデータ１０Ｂとがある。
【００２６】
標準フォントデータ１０Ａは、通常時に、使用フォントデータ１００として使用されるフォントデータである。標準フォントデータ１０Ａは、横方向に所定の数のドット以上（例えば、３ドット以上）連続する箇所が同一ライン上に集約された構成となっている。以下、各文字の横方向に所定の数のドット以上連続する、同一ライン上に集約された箇所を、「集約箇所１１」と称する。
【００２７】
図２に示す例では、縦方向に、上から３ドット目のライン１１Ａ、１１ドット目のライン１１Ｂ、１８ドット目のライン１１Ｃ、及び、２２ドット目のライン１１Ｄの４本のラインが、「集約箇所１１」となっている。
【００２８】
集約箇所１１は、上下に隣接するライン同士がともに集約箇所１１にならないように、上下に１乃至複数ドット分離間されて設定される。集約箇所１１は、好ましくは、上下に３ドット以上離間されて設定されるとよい。図２に示す例では、集約箇所１１として４本のラインが設定されているが、集約箇所１１の数は、例えば３本のように、少ない方がよい。ただし、集約箇所１１の数は、３本又は４本に制限されるものではない。
【００２９】
予備フォントデータ１０Ｂは、ドット抜け箇所の発生時に、使用フォントデータ１００の候補データとして使用されるフォントデータである。予備フォントデータ１０Ｂは、標準フォントデータ１０Ａが上方向又は下方向にシフト移動された構成となっている。図２に示す例では、予備フォントデータ１０Ｂとして、４つの予備フォントデータ１０Ｂａ〜１０Ｂｄが示されている。
【００３０】
以下、予備フォントデータ１０Ｂａ〜１０Ｂｄを区別する場合に、それぞれを、「第１予備フォントデータ１０Ｂａ」、「第２予備フォントデータ１０Ｂｂ」、「第３予備フォントデータ１０Ｂｃ」、及び、「第４予備フォントデータ１０Ｂｄ」と称する。第１予備フォントデータ１０Ｂａは、標準フォントデータ１０Ａが上方向に１ドット分シフト移動された構成となっている。第２予備フォントデータ１０Ｂｂは、標準フォントデータ１０Ａが上方向に２ドット分シフト移動された構成となっている。第３予備フォントデータ１０Ｂｃは、標準フォントデータ１０Ａが下方向に１ドット分シフト移動された構成となっている。第４予備フォントデータ１０Ｂｄは、標準フォントデータ１０Ａが下方向に２ドット分シフト移動された構成となっている。
【００３１】
本実施形態では、シリアルドットプリンタ１は、標準フォントデータ１０Ａ及び４つの予備フォントデータ１０Ｂａ〜１０Ｂｄの５つパターンのフォントデータ１０をフォント記憶部３Ｂに予め記憶しており、この状態で、印字を行う。
【００３２】
＜シリアルドットプリンタの動作＞
以下、図１、図３、及び、図４を参照して、シリアルドットプリンタ１の動作につき説明する。なお、図３は、正常時の印字画像例及びピン折れ発生時の印字画像例を示す図である。また、図４は、サンプル印字画像例を示す図である。
【００３３】
シリアルドットプリンタ１は、図示せぬ上位装置から印字データを受信する。すると、シリアルドットプリンタ１の制御部２は、フォント記憶部３Ｂから標準フォントデータ１０Ａ及び４つの予備フォントデータ１０Ｂａ〜１０Ｂｄを読み出す。通常時は、標準フォントデータ１０Ａが使用フォントデータ１００として使用される。そのため、ここでは、制御部２は、標準フォントデータ１０Ａが使用フォントデータ１００として使用されるように、標準フォントデータ１０Ａを使用フォントデータ１００として使用フォント記憶部３Ａに記憶させる。そして、制御部２は、駆動制御部２Ａが、使用フォント記憶部３Ａに記憶された使用フォントデータ１００を使用して印字処理を行う。
【００３４】
なお、シリアルドットプリンタ１は、好ましくは、標準フォントデータ１０Ａを使用フォントデータ１００として使用フォント記憶部３Ａに予め記憶しておくことにより、図示せぬ上位装置から印字データを受信すると、ただちに、駆動制御部２Ａが印字処理を行う構成にするとよい。
【００３５】
印字画像は、正常時であれば（ピン折れが発生していなければ）、図３（Ａ）に示すように、ドット抜け箇所が発生していない状態の画像となる。
【００３６】
これに対して、印字画像は、ピン折れが発生していれば、例えば、図３（Ｂ）に示すように、ドット抜け箇所が発生した状態の画像となる。なお、図３（Ｂ）は、一例として、上から３ドット目のライン１１Ａ、１１ドット目のライン１１Ｂ、１８ドット目のライン１１Ｃ、及び、２２ドット目のライン１１Ｄの４本のラインでピン折れが発生した状態の印字画像例を示している。このように、ピン折れが発生すると、印字画像に、ドット抜け箇所が発生し、その結果、印字画像が数字として認識できなくなる。
【００３７】
シリアルドットプリンタ１のオペレータは、印字された文字が解読し難くなった場合に、任意の時点で、使用フォントデータ１００の切替作業を行う。以下、使用フォントデータ１００の切替作業について説明する。
【００３８】
（使用フォントデータの切替作業）
（１）オペレータは、印字画像を視認することにより、ピン折れの発生（ドット抜け箇所の発生）の有無を確認する。印字画像が図３（Ａ）に示す状態の画像になる場合は、ピン折れが発生していない。しかしながら、印字画像が例えば図３（Ｂ）に示す状態の画像になる場合は、ピン折れが発生している。
【００３９】
（２）オペレータは、ピン折れが発生したことを認識すると、表示操作部６を操作して、サンプル印字画像３１（図４参照）の印字指示をシリアルドットプリンタ１に入力する。ここでは、「サンプル印字画像」とは、予備フォントデータ１０Ｂａ〜１０Ｂｄ（ただし、標準フォントデータ１０Ａを含めてもよい）を印字した画像を意味する。
【００４０】
（３）オペレータは、印字媒体をシリアルドットプリンタ１にセットする。すると、シリアルドットプリンタ１は、駆動制御部２Ａが、プリンタ機構部５を駆動させて、サンプル印字画像３１（図４参照）を印字媒体に印字する。
【００４１】
なお、図４（Ａ）〜図４（Ｅ）は、サンプル印字画像３１として、５つのパターンのサンプル印字画像３１Ａ〜３１Ｅを示している。図４（Ａ）に示すサンプル印字画像３１Ａは、標準フォントデータ１０Ａを印字した画像である。図４（Ｂ）に示すサンプル印字画像３１Ｂは、第１予備フォントデータ１０Ｂａを印字した画像である。図４（Ｃ）に示すサンプル印字画像３１Ｃは、第２予備フォントデータ１０Ｂｂを印字した画像である。図４（Ｄ）に示すサンプル印字画像３１Ｄは、第３予備フォントデータ１０Ｂｃを印字した画像である。図４（Ｅ）に示すサンプル印字画像３１Ｅは、第４予備フォントデータ１０Ｂｄを印字した画像である。
【００４２】
（４）オペレータは、５つのパターンのサンプル印字画像３１Ａ〜３１Ｅが印字媒体に印字されると、各サンプル印字画像３１Ａ〜３１Ｅを見比べて、どのパターンのサンプル印字画像３１が一番解読し易いかを判断する。図４（Ａ）〜図４（Ｅ）に示す例では、いずれのパターンのサンプル画像３１も数字として解読することができるが、ここでは、図４（Ｅ）に示すサンプル印字画像３１Ｅが数字として一番解読し易くなっているものとして説明する。
【００４３】
（５）オペレータは、表示操作部６を操作して、一番解読し易いパターンのサンプル印字画像３１に使用されている予備フォントデータ１０Ｂを使用フォントデータ１００とする、使用フォントデータ１００の切替指示をシリアルドットプリンタ１に入力する。ここでは、オペレータは、サンプル印字画像３１Ｅに使用されている第４予備フォントデータ１０Ｂｄを使用フォントデータ１００とする、使用フォントデータ１００の切替指示を入力するものとする。すると、制御部２は、フォント切替部２Ｂが、フォント記憶部３Ｂから、切替指示によって指定された第４予備フォントデータ１０Ｂｄを読み出し、読み出された第４予備フォントデータ１０Ｂｄを使用フォントデータ１００として使用フォント記憶部３Ａに記憶させる。
【００４４】
これにより、使用フォントデータ１００の切替作業が終了する。以後、シリアルドットプリンタ１は、使用フォント記憶部３Ａに記憶された第４予備フォントデータ１０Ｂｄを用いて印字処理を行う。
【００４５】
なお、ここでは、図４（Ｅ）に示すサンプル印字画像３１Ｅが数字として一番解読し易くなっているものとして説明している。しかしながら、他のサンプル印字画像３１Ｂ〜３１Ｄが数字として一番解読し易い場合は、そのサンプル印字画像３１に使用されている予備フォントデータ１０Ｂが、使用フォントデータ１００として使用フォント記憶部３Ａに記憶される。また、サンプル印字画像３１Ａが数字として一番解読し易い場合は、使用フォントデータ１００の切り替えが行われずに、そのサンプル印字画像３１Ａに使用されている標準フォントデータ１０Ａが、使用フォントデータ１００として使用フォント記憶部３Ａに記憶されたままになる。
【００４６】
このように、シリアルドットプリンタ１は、複数のフォントデータ１０が用意され、どのフォントデータ１０を使用するのかをオペレータが選択できる手段（フォント切替部２Ｂ）を有する構成となっている。そのため、シリアルドットプリンタ１は、仮に、印字ヘッド５Ａに搭載されたピンが複数本折れても、直ちに、印字された文字を解読可能な状態にするための設定処理を行うことができる。その結果、シリアルドットプリンタ１は、ドット抜け箇所の発生時に、短時間（具体的には、各文字を１回の印字工程で印字する場合と同等の印字時間）で解読容易な印字を行うことができる。これにより、シリアルドットプリンタ１は、印字された文字の誤読を回避することや、シリアルドットプリンタ１の利用の停止を回避すること、業務の運用の支障の発生を防止することができる。しかも、シリアルドットプリンタ１は、処理速度を落とすことなく、業務の運用を継続させることができる。
【００４７】
以上の通り、本実施形態に係るシリアルドットプリンタ１によれば、ドット抜け箇所（特に、横方向に複数ドット連続するドット抜け箇所）の発生時に、短時間で解読容易な印字を行うことができる。
【００４８】
本発明は、前記した実施形態に限定されることなく、本発明の要旨を逸脱しない範囲で種々の変更や変形を行うことができる。
【００４９】
例えば、実施形態では、フォントデータ１０として、数字を例にして説明している。しかしながら、本発明は、カタカナやアルファベット等の文字であっても、数字と同様に、横方向に所定の数のドット以上（例えば、３ドット以上）連続する箇所が同一ライン上に集約された構成にすることによって、カタカナやアルファベット等の文字に対しても適用することができる。
また、例えば、実施形態では、インパクトプリンタを用いて説明したが、本発明は、例えば、サーマルプリンタ等にも適用することができる。
【００５０】
また、例えば、実施形態では、予備フォントデータ１０Ｂは、シリアルドットプリンタ１の製造者や利用者等によって予め用意され、フォント記憶部３Ｂに予め記憶されているものとして説明している。しかしながら、予備フォントデータ１０Ｂは、例えば、フォント切替部２Ｂが、生成して、フォント記憶部３Ｂに記憶させるようにしてもよい。
【００５１】
具体的には、フォント切替部２Ｂは、オペレータによるサンプル印字画像３１の印字指示の受付（入力）時に、フォント記憶部３Ｂに予め記憶された標準フォントデータ１０Ａを上方向又は下方向に１ドットずつシフト移動させることによって、１乃至複数のパターンの予備フォントデータ１０Ｂを生成する。そして、フォント切替部２Ｂは、一旦、生成された予備フォントデータをフォント記憶部３Ｂに記憶させる。その後、フォント切替部２Ｂは、使用フォントデータ１００の切替指示の受付（入力）時に、フォント記憶部３Ｂに記憶された１乃至複数のパターンの予備フォントデータ１０Ｂの中から、オペレータによって指定されたパターンの予備フォントデータ１０Ｂを、使用フォントデータ１００として使用フォント記憶部３Ａさせる。シリアルドットプリンタ１は、このような構成にすることによっても、使用フォント記憶部３Ａに記憶された予備フォントデータ１０Ｂを用いて印字処理を行うことができる。
【符号の説明】
【００５２】
１    シリアルドットプリンタ
２    制御部（ＣＰＵ）
２Ａ    駆動制御部
２Ｂ    フォント切替部
３    記憶部（ＲＡＭ，ＲＯＭ）
３Ａ    使用フォント記憶部
３Ｂ    フォント記憶部
４    駆動部
５    プリンタ機構部
５Ａ    印字ヘッド
６    表示操作部
１０    フォントデータ
１０Ａ    標準フォントデータ
１０Ｂ（１０Ｂａ，１０Ｂｂ，１０Ｂｃ，１０Ｂｄ）    予備フォントデータ
１１（１１Ａ，１１Ｂ，１１Ｃ，１１Ｄ）    集約箇所
１００    使用フォントデータ
【図１】
0005728955.tif 000002
【図２】
0005728955.tif 000003
【図３】
0005728955.tif 000004
【図４】
0005728955.tif 000005